(57)【要約】      （修正有）【課題】遺骨の帰化を早め墓地の適切な供給を行い墓地経営の健全化を図り、ご遺族に取得しやすい状況を維持する事で遺族の経済状況にあった葬送を提供し、ご遺族が先人を心から思い供養して悔いなく慈しみを持って送り、供養が完結することのできる遺骨風化器を提供する。【解決手段】気候・天候に合わせ太陽の光を当て、通気性を高めるように通気口を開閉させ遺骨が帰化する最適状態を作り、また適度の湿度を時に与え、地上に於ける環境を作り、維持する事で微生物を活発化させ遺骨の帰化を早める。【選択図】図３
2016199984.tif 000002
【特許請求の範囲】
【請求項１】
古来から伝わる風葬を遺族と共に送る為、太陽光をとり入れ微生物などが生息できる環境を作る事を特徴とした遺骨風化器
【請求項２】
古来から伝わる風葬を遺族と共に送る為、外気を取り込み微生物などが生息できる環境を作る事を特徴とした遺骨風化器
【請求項３】
古来から伝わる風葬を遺族と共に送る為、大型生物の侵入を防ぎ微生物などが生息できる環境を作る事を特徴とした遺骨風化器
【請求項４】
古来から伝わる風葬を遺族と共に送る為、扉に錠をつけ部外者の干渉を防ぎ、遺族の手で安置できるようにした事を特徴とした遺骨風化器
【発明の詳細な説明】
【技術分野】
【０００１】本発明は、日本の風習である墓へ遺体・遺骨を埋葬・収蔵してきた。その作法に関するもので墓の造り方と躯の扱いについてのものである。
【背景技術】
【０００２】日本に於ける死者の送り方は古来から自然に還す方法をとってきた、ここ数世紀前頃より昭和２０年代まで遺体を土中（土葬）に埋葬して遺体を土に還すことが主に行われていた。この土中に埋葬する行為は、死者を野に晒す事が哀れという考えと、埋葬した遺体・遺骨の帰化作用、つまり小動物・微生物・細菌の繁殖作用によって躯が消化されて土中に帰化されるものと考え行われていた。
【特許文献１】
【０００３】
【非特許文献１】
【発明の開示】
【発明が解決しようとする課題】
【０００４】ここ数世紀の葬送は、死者を埋葬、或いは荼毘に付した方法をとってきた。中でも、土葬が主で躯が土に還るとして埋葬していた。しかし、実際は土質によっては土に還らず遺骨が残り続ける事も多い（古代数千年前の遺骨が発掘される事もある）この様に土葬した墓地には遺体から遺骨になって残り続けている。現在は、ほとんどが火葬にしているが、遺骨は残り続けている事に変わりなく、遺骨の処置ができない事から無縁化した開き墓地の再利用がなかなか出来ない。そこに墓地不足は起き、更に分家によって墓地の需要は増えているがこれを満足できる供給は皆無である。新規用地の確保の難しさと、必要とされる都心部では高額になり、とても購入できない、という遺族が多い。又、この問題を解決する為に堂内陵墓が作られているが、遺骨の帰化にはつながらず、遺骨は残り続け増え続ける。遺骨の終末にはまだまだ問題が山積している。無縁墓の撤去に伴う遺骨の処理、継承者のないお墓は『墓じまい』として撤去し、永代墓に納める事も多い。この永代も期間を決め合祀墓に移され処理されていくが、これも現在のように土中或いは地上に空間を作りこの中に複数の遺骨を入れて置くだけなので実際は残り続ける事になる。そこで某堂内陵墓では、預かり契約期限切れで遺骨を産業廃棄物として処理する寺院もあると聞く。その他にも骨事情は厳しい、墓所を求めない、求められない家庭も多くなった、経済的・思想的であるが、行き場のない遺骨が巷にあふれる事になる。この状況を目の当たりにして憤りを感じ、この様な遺骨の扱いが人間の尊厳を否定し、人としての慈しみはどうなってしまうのか、命の尊厳を見失う事に繋がり、日本人の故人に対する思いが失われてしまう事を危惧する。
【課題を解決する為の手段】
【０００５】この様に増え続ける遺骨を処理するためや葬送の自由を称え自然へ還す方法も増え樹林葬や散骨を行う遺族もいる。しかし、樹林葬では遺骨が帰化し難く、又散骨は先人の扱いに疑問を持ち否定する遺族や周囲の考えも同様で、故人の意思であっても実施できない事が多い。一般的に遺体・遺骨の帰化作用は、小動物・微生物・細菌の繁殖作用によって消化され土中に帰化されてきた。又、歴史的には貧困な地域における人口調整の為に、口減らしとして姥捨て山なるものもあった。この場合は生存中に山に置き去りにするという残酷な葬送だが、送り方は鳥葬・風葬・水葬の様に死者を自然界に還元するという方法がとられてきた。この葬送はそれほど古い史実ではなく中央アジアでは今も行われている。これらの葬送に共通な点は土中や空間に存在する小動物・微生物等によって躯が消化され自然へと帰化するのであるが、国内では身近となっている埋葬の場合、微生物の生息環境は極めて不安定である事から限られた立地環境（乾燥・適度の土の温度・湿度等）でなければ自然界へ帰化できない。この発明は気候・天候に合わせ太陽の光を当て、通気性を高めるように通気口を開閉させ遺骨が帰化する最適状態を作り、また適度の湿度を時に与え、地上に於ける環境を作り、維持する事で微生物を活発化させ遺骨の帰化を早め課題を解決する。
【発明の効果】
【０００６】樹林葬は『山に遺骨を還す』聞こえは良いが、森林の維持に手を焼く自治体や山主も少なくない。この状況の中で樹木墓苑の販売が行き詰まり収入が滞って維持費が絶えるとなると整備が出来なくなり山の荒廃が進むと墓苑としての存在がなくなり遺骨が放置される事を危惧する。又、散骨は法的には抵触しないものの遺族の責任性が薄れ、業者により無秩序に遺骨が処理される事になると、人としての尊厳が脅かされ生命の尊厳を無視した業者によって遺骨を安易に扱われる事を恐れる。これらを鑑みて、遺骨の帰化を早め墓地の適切な供給を行い墓地経営の健全化を図り、ご遺族に取得しやすい状況を維持する事で遺族の経済状況にあった葬送を提供し、ご遺族が先人を心から思い供養して悔いなく慈しみを持って送り、供養が完結する事を提供できるのが、この発明である。
【発明を実施するための最良の形態】
【０００７】低迷する経済と先祖への思いの薄れ、それに核家族化による後継ぎがなく絶える家庭によって、継承されない無縁墓は今後も増え続ける。これによりお墓の撤去が行われ無縁遺骨が発生する。また、ロッカー式の墓の使用は期限があり契約以後の遺骨も発生する。これらの処理は、合祀墓に納めたり、産廃として業者に処理させたりしているようだ。或いは、樹木葬として壷から出して埋葬しているようだが。前項で述べたように、遺骨が土に還る確率と埋葬の場所の問題、増える遺骨の量、埋葬を待つ、待機遺族を考えると、故人を大切に送る通過儀礼が実態をまともに表現できない状態にある。これらの問題を完結できる方法が遺骨風化器による風化葬だ。この遺骨風化器は遺骨を土中に埋葬するのではなく、自然環境に晒して微生物等の繁殖を促し、遺骨が自然へ帰化する事を早め、部外者に見えない状態を作りこの空間の入り口には施錠をして容易に害されない様な仕組みを持つ遺骨風化器を自然の環境にある霊園や寺院のような墓域に設置する。
【実施例】
【０００８】現在の墓では、敷地が狭く、新規、増設の出来ない状態にあり、供養する場所がなく、遺骨の処理に困っている寺院が多い。又、家督を次ぐものが居らず墓を持てないご家庭も多いそこで寺院経営に当たり従来のように末代まで故人の遺骨を管理するのではなく一定期間寺院で管理し、その後自然に還せば寺院の負担も軽減できる。この遺骨風化促進器具を墓地内に設置して１人で終える個人墓、永代墓のようにいずれは不特定多数の合祀墓に納められ、誰の物か判らない遺骨と一緒に残り続ける陵墓に代わり自然に帰化する葬送を提案する。
【図面の簡単な説明】
【０００９】
【図１】本発明の全体図であるが、形は限定されるものではなく本発明の帰化作用に必要な要素の一部を紹介した図である。
【図２】本発明の帰化作用に必要な要素の一部を紹介した図である。
【図３】本発明の内部を示し、帰化作用に必要な要素を紹介した断面図である。
【符号の説明】
【００１０】１‥‥‥お遺骨
２‥‥‥通気口
３‥‥‥通気口の網
４‥‥‥ガラス
５‥‥‥お遺骨受け皿
６‥‥‥鍵
【図１】
2016199984.tif 000003
【図２】
2016199984.tif 000004
【図３】
2016199984.tif 000005